(57)【要約】【課題】  巻尺の本体ケースに落下防止用ロープに備える係着具たるフック等を係着できる係着部を設けて、万一、巻尺を落としてしまった場合でも、落下防止用ロープによって巻尺の落下を食い止めることができる巻尺を提供することを目的とする。【解決手段】  ケース１の周回壁外面に、外部の落下防止用ロープ２に有する係着具たるフック３を係着するための係着具４を形成したプレート部材５を設け、かつ係着具４における通孔１０の径を十分に大きくとって、外部の落下防止用ロープ２に設けられているフック３を容易に係着できるようにする。【選択図】  図１
2011214919.tif 000002
【特許請求の範囲】
【請求項１】
ケース内に、測定用テープを周囲に巻き回し、同測定用テープを巻き取り方向に付勢する付勢手段を内装した回転ドラムが回転自在に支持された自動巻取り式の巻尺であって、前記回転ドラムの回転面に直交する同回転ドラムの周囲に位置するケースの周回壁外面に、外部の落下防止用ロープに設けられている係着具を係着できる係着部を形成したプレート部材を設けてなる巻尺。
【請求項２】
前記プレート部材を、前記周回壁における回転ドラムの回転方向に同周回壁の半周以上に渡り設け、かつ前記係着部を、ケースにおける測定用テープの出入り口側を前面とした場合、ケース背面側に位置させてなる請求項１に記載の巻尺。
【請求項３】
前記プレート部材における回転ドラムの回転面と同じ側を、回転ドラムの回転面に対向する同回転ドラムの両側に位置するケースの側壁外面に回り込ませてなる請求項１に記載の巻尺。
【請求項４】
前記プレート部材における前記周回壁の外面に接する部位を、同外面にほぼ密着できるように形成してなる請求項１に記載の巻尺。
【請求項５】
前記ケースが、ケースにおける周回壁の中央より２分割する半ケースより構成され、かつ前記プレート部材が、両半ケース上に渡り位置してなる請求項１に記載の巻尺。
【請求項６】
前記プレート部材を、前記両半ケースのそれぞれに固定してなる請求項５に記載の巻尺。
【請求項７】
前記係着部が、通孔の開口方向が回転ドラムの回転面に対してほぼ平行をなす環状体よりなり、かつ通孔の径を十分に大きくとって外部の落下防止用ロープに設けられている係着具を容易に係着できるように構成してなる請求項１に記載の巻尺。
【請求項８】
前記プレート部材の少なくとも一部を、柔軟性を有する樹脂素材で形成してなる請求項１に記載の巻尺。
【請求項９】
前記係着部の少なくとも一部を、柔軟性を有する樹脂素材で形成してなる請求項１に記載の巻尺。
【請求項１０】
前記プレート部材を、ケースに着脱できるように設けてなる請求項１に記載の巻尺。
【発明の詳細な説明】
【技術分野】
【０００１】
本発明は、測定用テープをケース内に巻き回し収容する巻尺に関し、より詳しくは、本体ケースに落下防止用ロープを係着できる係着部を設けた巻尺に関する。
【背景技術】
【０００２】
従来、高所作業における巻尺の落下防止は、市販の落下防止用ロープの一方に備える係着具を作業者が身に付けたベルト等に係着し、他方に備える係着具を巻尺の本体ケースに取り付けられた携帯用ストラップに係着することによって巻尺と作業者を連結して、誤って巻尺を落としてしまった場合でも、巻尺が地上まで落下してしまわないようにしている。
【０００３】
しかしながら、落下防止用ロープを係着する携帯用ストラップは、巻尺を携帯する際に、本体ケースを手に下げで持ち歩けるようにすることを目的として設けているものであるため、万一、巻尺を落としてしまった場合に、落下防止用ロープから携帯用ストラップにかかる衝撃によって前記ストラップや本体ケースの前記ストラップ取り付け部が破損し、結果、巻尺が落下してしまう恐れがあった。
【先行技術文献】
【特許文献】
【０００４】
【特許文献１】特開２００３−１６１６０１号公報（第１〜８頁、図１〜１３）
【発明の概要】
【発明が解決しようとする課題】
【０００５】
本発明の目的とするところは、巻尺の本体ケースに落下防止用ロープに備える係着具たるフック等を係着できる係着部を設けて、万一、巻尺を落としてしまった場合でも、落下防止用ロープによって巻尺の落下を食い止めることができる巻尺を提供できるようにすることにある。
【課題を解決するための手段】
【０００６】
上述した課題を解決するために、本発明に係る巻尺は、ケース内に、測定用テープを周囲に巻き回し、同測定用テープを巻き取り方向に付勢する付勢手段を内装した回転ドラムが回転自在に支持された自動巻取り式の巻尺であって、前記回転ドラムの回転面に直交する同回転ドラムの周囲に位置するケースの周回壁外面に、外部の落下防止用ロープに有する係着具を係着できる係着部を形成したプレート部材を設けたものとしてある。
【０００７】
また、前記プレート部材を、前記周回壁における回転ドラムの回転方向に同周回壁の半周以上に渡り設け、かつ前記係着部を、ケースにおける測定用テープの出入り口側を前面とした場合、ケース背面側に位置させたものとしてある。
【０００８】
また、前記プレート部材における回転ドラムの回転面と同じ側を、回転ドラムの回転面に対向する同回転ドラムの両側に位置するケースの側壁外面に回り込ませたものとしてある。
【０００９】
また、前記プレート部材における前記周回壁の外面に接する部位を、同外面にほぼ密着できるように形成したものとしてある。
【００１０】
また、前記ケースが、ケースにおける周回壁の中央より２分割する半ケースで構成され、かつ前記プレート部材が、両半ケース上に渡り位置するものとしてある。
【００１１】
また、前記プレート部材を、前記両半ケースのそれぞれに固定したものとしてある。
【００１２】
また、前記係着部が、通孔の開口方向が回転ドラムの回転面に対してほぼ平行をなす環状体よりなり、かつ通孔の径を十分に大きくとって外部の落下防止用ロープに設けられている係着具を容易に係着できるように構成したものとしてある。
【００１３】
また、前記プレート部材の少なくとも一部を、柔軟性を有する樹脂素材で形成したものとしてある。
【００１４】
また、前記係着部の少なくとも一部を、柔軟性を有する樹脂素材で形成したものとしてある。
【００１５】
また、前記プレート部材を、ケースに着脱できるように設けたものとしてある。
【発明の効果】
【００１６】
本発明に係る巻尺によれば、巻尺の本体ケースに、落下防止用ロープに設けられている係着具たるフック等を係着できる係着部を形成したプレート部材を、ケースとは別に形成してケースに取り付けるため、係着部を、落下防止用ロープにより巻尺の落下を阻止する際に加わる衝撃の力に耐え得る強度に容易に設計できて、前記衝撃等が加えられることによる前記係着部の破損を軽減でき、また、落下防止用ロープによって巻尺の落下を食い止めることができるので、高所作業時の安全性を大幅に向上させることができる。
【００１７】
そして、前記フック等を係着する係着部をプレート部材に設けているので、例えば、主に高所作業を行う作業者用は、落下防止用ロープのフックを係着し易くかつ落下を十分に食い止められる強度を有する大きめの係着部を有するプレート部材を取り付け、また、屋内設備等の作業を行う作業者用は、手に提げて持ち歩く際に使用する普通の携帯ストラップを係着できる係着部を有するプレート部材を取り付けることにより、同じ機種でも作業用途に合わせた前記係着部をケースに配することができ、したがって、高所作業を行う作業者だけではなく屋内設備等の作業を行う一般の作業者にも扱い易い巻尺を提供できる。
【００１８】
また、ケースを、ケースにおける周回壁の中央より２分割する半ケースで構成し、プレート部材を、両半ケース上に渡り位置させて両半ケースのそれぞれに固定すれば、プレート部材がこの両半ケースの連結部材となって両半ケースをしっかりと繋ぎ止めるので、従来、２分割する半ケースの弱点であった衝撃により両半ケースの合わせ目がずれる等の問題も解決できる。
【図面の簡単な説明】
【００１９】
【図１】本発明に係る巻尺の一例を示す斜視図。
【図２】プレート部材を示す斜視図。
【図３】図１に示した巻尺の反対側より見た側面図。
【図４】図３中におけるＢ−Ｂ部分のＡ−Ａ線拡大断面図。
【図５】他形態のプレート部材を装着した巻尺の側面図。
【図６】図５中におけるＤ−Ｄ部分のＣ−Ｃ線拡大断面図。
【図７】他形態の係着部を設けたプレート部材を装着した巻尺の斜視図。
【図８】半ケースを取り外した状態の巻尺を示す側面図。
【発明を実施するための形態】
【００２０】
以下、本発明に係る巻尺の実施例を、添付図面に示す具体例に基づいて詳細に説明する。
【００２１】
図１に示すように、本巻尺は、巻尺の本体たるケース１の周回壁に、外部の落下防止用ロープ２に設けられている係着具たるフック３を係着するための係着部４を形成した図２のプレート部材５を、固定用のねじ６をケース１に形成したねじ受け部（図示は省略）に螺入して取り付けている。
【００２２】
また、ケース１の周回壁は、回転ドラム８（図８を参照）の回転面に直交し、同回転ドラム８の周囲に位置するケース１の壁である。
【００２３】
実施例に示したケース１の周回壁に取り付けたプレート部材５は、図３に示すように、内装する回転ドラム８（図８を参照）の回転方向に同周回壁の半周以上に渡って囲むように構成してあって、かつ、落下防止用ロープ２に設けられているフック３を係着する係着部４を、ケース１における測定用テープ７の出入り口９側を前面とした場合、ケース１の背面側に位置するように配している。
【００２４】
また、プレート部材５におけるケース１の周回壁外面に接する部位は同外面の曲率に合わせていて、プレート部材５をケース１の周回壁外面に取り付けた際に周回壁の外面上に密着できるようにしている。
【００２５】
実施例に示したケース１は、周回壁の中央より２分割する半ケース（１ａ、１ｂ）により構成しているものであるため、プレート部材５を両半ケース（１ａ、１ｂ）上に渡り位置させ、かつ両半ケース（１ａ、１ｂ）のそれぞれに固定している（図４を参照）。
【００２６】
係着部４は、通孔１０の開口方向が回転ドラム８（図８を参照）の回転面に対しほぼ平行となる環状体より構成され、かつ通孔１０の径を十分に大きくとって外部の落下防止用ロープ２のフック３を容易に係着できるようにしている。
【００２７】
以下、上述のように構成した本発明に係る巻尺の作用について説明する。
【００２８】
図１参照のように、巻尺のケース１に取り付けたプレート部材５の係着部４に作業者の腰ベルトに接続している落下防止用ロープ２のフック３を接続できるので、作業者（図示は省略）と巻尺のケース１がしっかりと連結できて、また、連結する際の連結不良もほぼゼロに等しくできる。
【００２９】
そして、落下防止用ロープ２によって巻尺（ケース１）の落下を阻止する際のケース１に加わる衝撃は、プレート部材５の係着部４によってしっかりと受け止められる。
【００３０】
また、プレート部材５における回転ドラム８（図８を参照）の回転面と同じ側を、図５、図６に示すように、回転ドラム８の回転面に対向する同回転ドラム８の両側に位置するケース１の側壁外面に回り込ませる場合がある。
【００３１】
また、プレート部材５に設ける係着部４を、図７に示すように、ケース１の周回壁方向（図中の矢印Ｅ方向）および同周回壁に直交する方向（図中の矢印Ｆ方向）に回動できるように構成する係着用部材４ａに代えて設ける場合がある。
実施例では、係着用部材４ａを回動できるように取り付けるための回動手段の構成を省略している。
【００３２】
また、プレート部材５、同プレート部材５に形成する係着部４の少なくとも一部を、柔軟性を有する樹脂素材で形成する場合がある。
【００３３】
また、プレート部材５、同プレート部材５に形成する係着部４の内部もしくは外部、この両方に強度を確保するための骨材を設ける場合がある。
【００３４】
また、プレート部材５を、ケース１に着脱できるように設ける場合がある。
【００３５】
また、プレート部材５をケース１に取り付ける場合、上述したように、固定用のねじ６をケース１に形成したねじ受け部（図示は省略）に螺入して取り付ける他にも、実施例には示していないが、接着や溶着、また、固定用のピンを挿入してケース１とプレート部材５を繋ぎ止めるピン固定等の固定方法によってプレート部材５をケース１に固定する場合がある。
【００３６】
実施例の巻尺は、ケース１内から引き出した測定用テープ７を引き出し位置で停止させておくブレーキ装置（ブレーキレバー）、また、ケース１の測定用テープ７の出入り口９内に配設され、巻き取られた測定用テープ７先端の係止片１１（図８を参照）が出入り口９に係止される際の衝撃を緩和するダンパー装置等の図示を省略している。
【００３７】
なお、本実施例を示す図中の符号１２は、巻尺を作業者のベルトに係着する際に用いるベルトクリップ、符号１３は、測定用テープ７を巻き回する回転ドラム８を支持する軸、符号１４は、引き出された測定用テープ７をケース１内の回転ドラム８に巻き取るための巻き取りばね、符号１５は、半ケース１ａと半ケース１ｂとを固定してケース１を形成するためのケース組み立て用ねじ、符号１６は、ケース組み立て用ねじ１５を受けるねじ受け部、符号１７はねじ６を通すための通孔である。
【符号の説明】
【００３８】
１  ケース
１ａ  半ケース
１ｂ  半ケース
２  落下防止用ロープ
３  フック
４  係着部
４ａ  係着部
５  プレート部材
６  ねじ
７  測定用テープ
８  回転ドラム
９  出入り口
１０  通孔
１１  係止片
１２  ベルトクリップ
１３  軸
１４  巻き取りばね
１５  ケース組み立て用ねじ
１６  ねじ受け部
１７  通孔
【図１】
2011214919.tif 000003
【図２】
2011214919.tif 000004
【図３】
2011214919.tif 000005
【図４】
2011214919.tif 000006
【図５】
2011214919.tif 000007
【図６】
2011214919.tif 000008
【図７】
2011214919.tif 000009
【図８】
2011214919.tif 000010